(57)【特許請求の範囲】
【請求項１】
外部電源から供給される電力を負荷に適した電力に変換する電源ユニットと、前記電源ユニットと電気的に接続され、前記電源ユニットに新たな機能を追加する機能モジュールと、前記電源ユニットと前記機能モジュールを電気的に接続する電気ケーブルとを有し、  前記電源ユニットは、第１プリント配線板に電子部品が実装されて構成される電源回路と、前記電源回路を収納する第１ケースとを有し、
前記機能モジュールは、前記機能を実現するための電子部品が第２プリント配線板に実装されて構成される回路部と、前記回路部を収納して前記第１ケースに隣り合うように配置される第２ケースとを有し、
前記第１ケースは複数の側壁を有する箱状に形成され、前記複数の側壁のうちで前記第２ケースと隣り合う前記側壁が、前記第２ケースと隣り合わない他の前記側壁よりも低く形成され、
前記電気ケーブルは、他の前記側壁よりも低く形成された前記側壁を乗り越えて、前記電源回路と前記回路部を電気的に接続するように構成され、
前記電気ケーブルは、更に、一端に第１プラグコネクタが電気的に接続され、且つ他端に第２プラグコネクタが電気的に接続され、
前記第１プラグコネクタと電気的に接続される第１レセプタクルコネクタが前記第１プリント配線板に実装され、前記第２プラグコネクタと電気的に接続される第２レセプタクルコネクタが前記第２プリント配線板に実装され、
前記第１レセプタクルコネクタと前記第２レセプタクルコネクタとは、前記第１ケースと前記第２ケースが隣り合う方向において、互いに対向しない位置に実装されることを特徴とする電源装置。
【請求項２】
前記第２ケースは、前記第１ケースの前記側壁と対向する面が開放されるように構成されることを特徴とする請求項１記載の電源装置。
【請求項３】
前記第２ケースは、前記第１ケースの前記側壁と対向する面に壁が設けられ、前記電気ケーブルは、前記壁を乗り越えて、前記電源回路と前記回路部を電気的に接続するように構成されることを特徴とする請求項１記載の電源装置。
【請求項４】
前記第１レセプタクルコネクタ及び前記第２レセプタクルコネクタの少なくとも何れか一方は、前記第１プリント配線板と前記第２プリント配線板の接近している部分から離れた位置に実装されることを特徴とする請求項１〜３の何れか１項に記載の電源装置。
【請求項５】
前記第１プリント配線板及び前記第２プリント配線板は、前記第１レセプタクルコネクタが実装される実装面と、前記第２レセプタクルコネクタが実装される実装面とが、互いに反対側となるように、前記第１ケース及び前記第２ケース内に収納され、
前記第２プリント配線板は、前記第１ケースの前記側壁と対向する端面から、前記第１ケースに向かって突出する１乃至２つ以上の突部を有することを特徴とする請求項１〜４の何れか１項に記載の電源装置。
【請求項６】
請求項１〜５の何れかの電源装置と、前記電源装置の前記負荷となる光源と、少なくとも前記光源を保持する器具本体とを備えることを特徴とする照明器具。
【発明の詳細な説明】
【技術分野】
【０００１】
本発明は、照明用の光源に給電して点灯する電源装置、及び当該電源装置を備える照明器具に関する。
【背景技術】
【０００２】
従来例として、特許文献１記載の電源装置（点灯装置及び制御装置）並びに照明器具を例示する。特許文献１記載の照明器具は、天井面に埋込配置される器具本体、ランプソケット、端子台、点灯装置、制御装置、センサ装置などを備える。
【０００３】
点灯装置は、インバータ回路からなる電子安定器で構成される。センサ装置は、検知範囲内における人の存在を検知するように構成される。制御装置は、センサ装置による人の存在検知結果に応じて、点灯装置を制御（例えば、調光制御）するように構成される。これらの点灯装置、制御装置、センサ装置は、器具本体に取り付けられる。そして、器具本体に設けられた電源用孔から器具本体内に電源線が導入される。この電源線は、端子台と電気的に接続される。また、端子台と制御装置が電線で電気的に接続されるとともに、制御装置と点灯装置が電線で電気的に接続される。制御装置は、上側覆体と下側覆体からなるケースを備え、当該ケース内に回路基板が収納されている。そして、回路基板の長手方向の端に、電線と電気的に接続される端子部が実装されている。また、上側覆体は、下側覆体よりも長手方向の寸法が短くなっており、上側覆体の外に端子部が露出している。同様に、点灯装置もケースを備え、ケースの長手方向における端部に、電線が接続される端子部が露出している。センサ装置は、電線で制御装置と電気的に接続される。さらに、点灯装置は、電線を介して各ランプソケットに電気的に接続され、電源線からの電力の供給状態やセンサ装置からの入力に応じた制御装置の制御により、ランプソケットに装着されたランプを点灯、消灯、あるいは減光した状態で調光点灯させる。
【先行技術文献】
【特許文献】
【０００４】
【特許文献１】特開２００６−１３８６７７号公報
【発明の概要】
【発明が解決しようとする課題】
【０００５】
ところで、特許文献１記載の従来例において、点灯装置の端子部がケースで覆われた場合、電線を通すための孔がケースに設けられなければならない。しかしながら、ケースの孔に電線が通される構造では、端子部が露出している場合と比較して、組立の作業性が低下してしまう虞がある。
【０００６】
本発明は、上記課題に鑑みて為されたものであり、組立作業性の低下を抑制しつつ回路部品が露出しないようにすることを目的とする。
【課題を解決するための手段】
【０００７】
本発明の電源装置は、外部電源から供給される電力を負荷に適した電力に変換する電源ユニットと、前記電源ユニットと電気的に接続され、前記電源ユニットに新たな機能を追加する機能モジュールと、前記電源ユニットと前記機能モジュールを電気的に接続する電気ケーブルとを有し、前記電源ユニットは、第１プリント配線板に電子部品が実装されて構成される電源回路と、前記電源回路を収納する第１ケースとを有し、前記機能モジュールは、前記機能を実現するための電子部品が第２プリント配線板に実装されて構成される回路部と、前記回路部を収納して前記第１ケースに隣り合うように配置される第２ケースとを有し、前記第１ケースは複数の側壁を有する箱状に形成され、前記複数の側壁のうちで前記第２ケースと隣り合う前記側壁が、前記第２ケースと隣り合わない他の前記側壁よりも低く形成され、前記電気ケーブルは、他の前記側壁よりも低く形成された前記側壁を乗り越えて、前記電源回路と前記回路部を電気的に接続するように構成され、前記電気ケーブルは、更に、一端に第１プラグコネクタが電気的に接続され、且つ他端に第２プラグコネクタが電気的に接続され、前記第１プラグコネクタと電気的に接続される第１レセプタクルコネクタが前記第１プリント配線板に実装され、前記第２プラグコネクタと電気的に接続される第２レセプタクルコネクタが前記第２プリント配線板に実装され、前記第１レセプタクルコネクタと前記第２レセプタクルコネクタとは、前記第１ケースと前記第２ケースが隣り合う方向において、互いに対向しない位置に実装されることを特徴とする。
【０００８】
本発明の照明器具は、前記電源装置と、前記電源装置の前記負荷となる光源と、少なくとも前記光源を保持する器具本体とを備えることを特徴とする。
【発明の効果】
【０００９】
本発明の電源装置及び照明器具は、組立作業性の低下を抑制しつつ回路部品が露出しないようにすることができるという効果がある。
【図面の簡単な説明】
【００１０】
【図１】本発明に係る照明器具の実施形態を示す分解斜視図である。
【図２】同上の照明器具の断面図である。
【図３】本発明に係る電源装置の実施形態を示す回路図である。
【図４】同上の電源装置の平面図である。
【図５】同上における電源ユニットの平面図である。
【図６】本実施形態における機能モジュールの斜視図である。
【図７】同上の機能モジュールの分解斜視図である。
【図８】同上における第２プリント配線板の平面図である。
【図９】同上の機能モジュールの正面から見た透視図である。
【図１０】同上の機能モジュールの第２ケースの断面図である。
【図１１】同上の電源装置の要部を示す斜視図である。
【図１２】同上の電源装置を示す斜視図である。
【発明を実施するための形態】
【００１１】
本発明に係る電源装置及び照明器具の実施形態について、図面を参照して詳細に説明する。なお、以下に説明する実施形態では、天井に取り付けられる照明器具の実施形態を例示するが、本実施形態の照明器具は、壁などの天井以外の場所に取り付けられる照明器具であっても構わない。また、以下の説明では、特に断りのない限り、図２に示す向きにおいて上下左右の方向を規定し、さらに図２中の紙面に垂直な方向を前後方向（手前側が前側）と規定する。
【００１２】
本実施形態の照明器具Ａは、図１及び図２に示すように光源ユニット２と、器具本体１とで構成される。器具本体１は、吊りボルト２００に固定され、天井１００に直付けされる。光源ユニット２は、器具本体１に対して着脱可能に取り付けられる。
【００１３】
器具本体１は、板金に曲げ加工を施すことで長尺且つ上面（天井１００との対向面）が開口する扁平な箱状に形成される。また、器具本体１は、天井１００と反対側（下側）には光源ユニット２を収容するための矩形の凹部１１が長手方向（前後方向）の全長に亘って設けられている。また、器具本体１の左右方向（幅方向）における凹部１１の両側には、凹部１１の開口端縁から延出し且つ外側に向かって上方へ傾斜する傾斜部１２がそれぞれ設けられている。
【００１４】
また、凹部１１の底板１１１には、電源線３０を通すための孔１１１Ａが前後方向（長手方向）におけるほぼ中央に設けられている。さらに、この底板１１１には、前後方向における両端寄りの位置に吊りボルト２００を通すための孔１１１Ｂがそれぞれ設けられている。そして、底板１１１の下面には端子台２５が取り付けられる。端子台２５は、電源線３０と電気的に接続される。また、端子台２５から接地線を含む３本の電線２５０が引き出されている。さらに、これら３本の電線２５０の先端にプラグコネクタ２５１が電気的に接続されている。
【００１５】
光源ユニット２は、図１及び図２に示すように、複数（例えば、２つ）のＬＥＤモジュール２２、取付部材２１、カバー２３、電源ユニット４、機能モジュール５などを備える。
【００１６】
ＬＥＤモジュール２２は、前後方向に長い矩形板状に形成された実装基板２２１を有する。実装基板２２１は、その下面に複数のＬＥＤ（発光ダイオード）２２２が前後方向（長手方向）に沿い且つ２列に並べて実装されている。また、一方のＬＥＤモジュール２２の前端部には、電源ユニット４との間を電気的に接続するためのコネクタが実装されている。このコネクタには、後述する電源ユニット４の出力線４３が電気的に接続される。
【００１７】
また、各ＬＥＤモジュール２２において隣接するＬＥＤモジュール２２と対向する端部には、電源供給用のコネクタ２２４がそれぞれ実装されている（図２参照）。そして、両ＬＥＤモジュール２２のコネクタ２２４同士が電気的に接続されることで、一方のＬＥＤモジュール２２から他方のＬＥＤモジュール２２に点灯電力が中継される。
【００１８】
取付部材２１は、板金に曲げ加工を施すことでＵ字状に形成され、長尺且つ矩形板状に形成された底板２１１と、底板２１１の左右方向（幅方向）における両端から上下方向（底板２１１と直交する方向）に延出する一対の側板２１２とで構成される。各側板２１２の先端（上端）には、図２に示すように、互いに離れる向き（外向き）に傾斜する傾斜部２１２Ａがそれぞれ全長に亘って設けられている。
【００１９】
底板２１１の前端部には、電源ユニット４の出力線４３を通すための孔が設けられている。また、底板２１１の前後方向における中央部には、底板２１１の一部を上向きに突出させることで形成された矩形の凹部が設けられている。この凹部は、両ＬＥＤモジュール２２を取付部材２１に取り付けた状態で、コネクタ２２４と取付部材２１の底板２１１との間の絶縁距離を確保するために設けられる。なお、上述したＬＥＤモジュール２２は、例えば取付部材２１の底板２１１の一部を切り起こすことで形成された爪により取付部材２１に固定される。
【００２０】
また、取付部材２１は、長手方向における両端寄りの位置において幅方向の一端側に延びる一対の引掛金具２１４と、幅方向の他端側に配置される一対の引掛ばね２１５とを有している。
【００２１】
カバー２３は、拡散性を有する材料（例えば乳白色のアクリル樹脂）により上面（取付部材２１側の面）が開口する長尺の箱形に形成されている。また、カバー２３は、左右方向（幅方向）において両端側から中央側に行くほど下側への突出量が大きくなるような凸レンズ形状の曲面部２３１を有している（図２参照）。
【００２２】
カバー２３の左右方向における両端部には、図２に示すように、光源ユニット２を器具本体１に取り付けた状態で、上下方向において器具本体１の凹部１１の開口端縁と重なる延出部２３２がそれぞれ設けられている。さらに、カバー２３の左右方向において各延出部２３２の内側には、上側（取付部材２１側）に突出する突壁部２３３がそれぞれ全長に亘って設けられており、各突壁部２３３の先端には内向きに突出する突起部２３３Ａがそれぞれ設けられている。また、各突壁部２３３の根元近くには、それぞれ内向きに突出する支持片２３３Ｂが突出している。
【００２３】
電源ユニット４は、第１プリント配線板４０に電子部品が実装されて構成される電源回路と、前記電源回路を収納する第１ケース４２とを有する。電源回路の回路図を図３に示す。この電源回路は、入力コネクタ４００、フィルタ回路４０１、整流器４０２、昇圧回路４０３、降圧回路４０４、出力コネクタ４０５、主制御回路４０６、制御電源回路４０７、調光制御回路４０８、消灯制御回路４０９、制御用コネクタ４１０などを備える。
【００２４】
入力コネクタ４００は、レセプタクルコネクタからなり、端子台２５から引き出された電線２５０と電気的に接続されているプラグコネクタ２５１が差込接続される。フィルタ回路４０１は、コモンモードチョークコイル４０１０と、アクロス・ザ・ラインコンデンサ４０１１とで構成される。整流器４０２は、ダイオードブリッジで構成され、フィルタ回路４０１及び入力コネクタ４００を介して交流電源と交流入力端子が電気的に接続され、交流電源３から供給される交流電圧・交流電流を全波整流して直流出力端子から出力する。
【００２５】
昇圧回路４０３は、チョークコイルＬ１、スイッチ素子Ｑ１、整流素子Ｄ１、平滑コンデンサＣ１などで構成される、従来周知の昇圧チョッパ回路（力率改善回路）である。また、降圧回路４０４は、スイッチ素子Ｑ２、インダクタＬ２、整流素子Ｄ２、抵抗Ｒ１、平滑コンデンサＣ２などで構成される、従来周知の降圧チョッパ回路（バックコンバータ）である。整流器４０２から出力される脈流電圧が昇圧回路４０３で昇圧され、昇圧回路４０３から出力される直流電圧が降圧回路４０４で降圧される。出力コネクタ４０５は、レセプタクルコネクタからなり、降圧回路４０４の出力端子（平滑コンデンサＣ２の両端）と電気的に接続される。
【００２６】
主制御回路４０６は、昇圧回路４０３のスイッチ素子Ｑ１並びに降圧回路４０４のスイッチ素子Ｑ２をそれぞれスイッチングし、昇圧回路４０３の出力電圧を一定に維持するとともに、降圧回路４０４の出力電流を目標値に一致させるように構成される。制御電源回路４０７は、昇圧回路４０３の出力電圧から制御電圧（例えば、５Ｖ〜３Ｖ程度の直流電圧）を生成するように構成される。主制御回路４０６は、制御電源回路４０７から供給される制御電圧で動作する。
【００２７】
制御用コネクタ４１０は、レセプタクルコネクタからなり、機能モジュール５のプラグコネクタ５０４が差込接続される。後述するように、機能モジュール５から出力される制御信号が制御用コネクタ４１０を介して調光制御回路４０８と消灯制御回路４０９に入力される。
【００２８】
消灯制御回路４０９は、制御信号に応じて、点灯中のＬＥＤモジュール２２を消灯させるための消灯信号を生成して主制御回路４０６に出力するように構成される。主制御回路４０６は、消灯信号を受け取ると、スイッチ素子Ｑ２のスイッチングを中止して降圧回路４０４を停止させ、ＬＥＤモジュール２２を消灯するように構成される。ただし、主制御回路４０６は、消灯信号を受け取った場合、スイッチ素子Ｑ２だけで無くスイッチ素子Ｑ１のスイッチングも中止して昇圧回路４０３と降圧回路４０４を双方とも停止させてもよい。このように昇圧回路４０３と降圧回路４０４の双方が停止すれば、降圧回路４０４のみが停止する場合と比較して、消灯中における電源ユニット４の消費電力が削減される。
【００２９】
また、調光制御回路４０８は、制御信号に応じて、ＬＥＤモジュール２２の光出力（調光レベル）を指示する調光信号を生成して主制御回路４０６に出力するように構成される。なお、調光レベルは、定格電力が供給されているときのＬＥＤモジュール２２の光出力を１００％としたとき、ＬＥＤモジュール２２に供給される単位時間当たりの平均電力の定格電力に対する比率（％）で表される。例えば、ＬＥＤモジュール２２に供給される単位時間当たりの平均電力が定格電力の半分のとき、調光レベルが５０％となる。言い換えると、調光制御回路４０８は、制御信号で指示される調光レベルが５０％であれば、降圧回路４０４からＬＥＤモジュール２２に供給される単位時間当たりの平均電力を定格電力の半分にするように指示する調光信号を生成する。主制御回路４０６は、調光制御回路４０８から受け取る調光信号に応じて、スイッチ素子Ｑ２のオンデューティ比を調整するように構成されることが好ましい。さらに詳しく説明すると、調光制御回路４０８は、抵抗Ｒ１の両端電圧から降圧回路４０４の出力電流を検出し、当該出力電流の平均値を調光レベルに対応した目標値に一致させるように、調光信号を生成するように構成されることが好ましい。
【００３０】
第１プリント配線板４０は、図４に示すように、長尺の矩形平板状の絶縁基板の裏面に配線用の導体（銅箔）がプリントされて構成される。第１プリント配線板４０の表面に、コネクタや平滑コンデンサ、コモンモードチョークコイル４０１０などの、いわゆるリード部品が実装される。そして、第１プリント配線板４０の裏面に、整流器４０２、主制御回路４０６、調光制御回路４０８、消灯制御回路４０９などの表面実装部品が実装される。ここで、入力コネクタ４００は、第１プリント配線板４０の長手方向の端部（以下、第１端部と呼ぶ。）の表面に実装される。一方、出力コネクタ４０５及び制御用コネクタ４１０は、第１プリント配線板４０の長手方向の他端部（以下、第２端部と呼ぶ。）の表面に実装される。そして、第１端部から第２端部に向かって、フィルタ回路４０１、整流器４０２、昇圧回路４０３、降圧回路４０４、出力コネクタ４０５が順番に第１プリント配線板４０に実装される。また、主制御回路４０６、制御電源回路４０７、調光制御回路４０８、消灯制御回路４０９は、整流器４０２から第２端部に向かって順番に第１プリント配線板４０に実装される。なお、整流器４０２は、第１プリント配線板４０の裏面に実装されているため、図４には図示されていないが、おおよそコモンモードチョークコイル４０１０から若干第２端部寄りの位置に実装されている。
【００３１】
第１ケース４２は、図４及び図５に示すように、底板４２０と、底板４２０の短手方向に沿った端縁から立ち上がる一対の第１側板４２１Ａ、４２１Ｂと、底板４２０の長手方向に沿った端縁から立ち上がる一対の第２側板４２２Ａ、４２２Ｂとを有する。すなわち、第１ケース４２は、底板４２０の前方が開放された長尺の箱形に形成されている。また、第１ケース４２は、片方の第２側板４２２Ａの先端から外向きに突出する固定板４２３を備えている。固定板４２３は、図５に示すように角樋状に形成されている。
【００３２】
第１プリント配線板４０は、裏面を底板４２０に対向させ、且つ第２端部を第１側板４２１Ａ側とする向きで第１ケース４２内に収納され、一対の第２側板４２２Ａ、４２２Ｂから切り起こされる４つの爪４２２０で第１ケース４２に固定される。なお、入力コネクタ４００の差込口は、第１端部側の第１側板４２１Ｂに設けられた矩形の窓孔を通して第１ケース４２の外に突出する。
【００３３】
電源ユニット４は、図２に示すように、第１ケース４２の底板４２０が上になるように、光源ユニット２の取付部材２１に取り付けられる。具体的には、第２側板４２２Ｂ及び固定板４２３が取付部材２１の各側板２１２にねじ止めされることによって、第１ケース４２が取付部材２１に固定される。また、取付部材２１に取り付けられた状態において、第１ケース４２の開口が取付部材２１の底板２１１で塞がれる。このとき、出力コネクタ４０５及び制御用コネクタ４１０は、第１ケース４２と取付部材２１の底板２１１に覆われて第１ケース４２の外に露出しない。
【００３４】
機能モジュール５は、第２プリント配線板５０に電子部品が実装されて構成される回路部と、前記回路部を収納する第２ケース５１とを有する。回路部の回路図を図３に示す。この回路部は、信号入力部５００、フォトカプラ５０１、抵抗Ｒ２、Ｒ３、信号出力部５０２、信号ケーブル５０３などを備える。
【００３５】
信号入力部５００は、従来周知の速結式の端子台で構成され、制御信号が伝送される一対の信号線と電気的に接続される。また、信号入力部５００には、フォトカプラ５０１の入力端子と、限流用の抵抗Ｒ２とが電気的に直列接続される。つまり、フォトカプラ５０１の入力端子には、信号線に伝送される制御信号が信号入力部５００を介して入力される。
【００３６】
信号出力部５０２は、信号ケーブル５０３を介して電源ユニット４の制御用コネクタ４１０と電気的に接続される。信号ケーブル５０３は３本の電線５０３Ａ〜５０３Ｃで構成される。そして、電源回路のグランドとフォトカプラ５０１の負極側の出力端子（フォトトランジスタのエミッタ）とが１本の電線５０３Ａで電気的に接続される。また、制御電源回路４０７の出力端子と抵抗Ｒ３の一端との接続点が、他の１本の電線５０３Ｂで電気的に接続される。さらに、抵抗Ｒ３の他端とフォトカプラ５０１の正極側の出力端子（フォトトランジスタのコレクタ）の接続点が、残り１本の電線５０３Ｃで調光制御回路４０８及び消灯制御回路４０９と電気的に接続される。つまり、抵抗Ｒ３とフォトトランジスタの直列回路には常に一定の制御電源電圧が印加される。そのため、調光制御回路４０８及び消灯制御回路４０９に入力される制御信号は、フォトカプラ５０１の入力電圧がハイレベルのときにローレベルとなり、フォトカプラ５０１の入力電圧がローレベルのときにハイレベルとなる。例えば、外部から機能モジュール５に入力される制御信号（以下、外部制御信号と呼ぶ。）がパルス幅変調（ＰＷＭ）信号である場合を想定する。この場合、機能モジュール５から電源ユニット４に出力される制御信号（以下、内部制御信号と呼ぶ。）のデューティ比（パルス幅）は、１００％（１周期の長さ）と、外部制御信号のデューティ比（パルス幅）との差になる。例えば、外部制御信号のデューティ比が５％のときの調光レベルを１００％とし、調光レベルが低く（暗く）なるにつれてデューティ比が減少する場合を想定する。この場合、調光制御回路４０８は、内部制御信号のデューティ比が９５％のときに調光レベルを１００％とし、デューティ比が減少するにつれて調光レベルを減少させればよい。また、消灯制御回路４０９は、内部制御信号のデューティ比が下限値（例えば、１０％）以下のときに、消灯信号を出力すればよい。
【００３７】
次に、機能モジュール５の構造について、図６〜図１０を参照して詳細に説明する。ただし、以下の説明では、特に断りの無い限り、図７において上下、左右、前後の各方向を規定する。
【００３８】
第２プリント配線板５０は、図８に示すように、矩形平板状の絶縁基板の裏面（下面）に配線用の導体（銅箔）がプリントされて構成される。第２プリント配線板５０の表面（上面）に、信号入力部５００と信号出力部５０２が実装される。そして、第２プリント配線板５０の裏面（下面）に、フォトカプラ５０１や抵抗Ｒ２、Ｒ３などの信号入力部５００及び信号出力部５０２以外の部品が実装される。ここで、信号入力部５００は、第２プリント配線板５０の後端（図８における上端）の左側に実装される。信号入力部５００の上部には、それぞれに信号線の導体が差し込まれる差込孔５０００と、解除釦５００１とが左右方向に並べて、各々４つずつ設けられている。すなわち、信号入力部５００は、速結式の端子台で構成されるので、差込孔５０００に差し込まれる信号線の導体と電気的に接続され、解除釦５００１が押操作されると差込孔５０００から信号線の導体を引き抜くことができるように構成されている。
【００３９】
信号出力部５０２は、第２プリント配線板５０の後端の右側に実装される。また、信号出力部５０２から引き出されている信号ケーブル５０３の先端に、プラグコネクタ５０４が電気的に接続される。さらに、第２プリント配線板５０の前端（図８における下端）における左右両端には、それぞれ前方に突出する突部５０５が設けられることが好ましい。
【００４０】
第２ケース５１は、図６及び図７に示すように、下壁５２、一対の側壁５３、後壁５４、上壁５５、傾斜壁５６を有し、前面が開放された箱形に形成される。さらに、第２ケース５１は、第２プリント配線板５０の周縁部分と嵌合する一対の嵌合部５３０と、第２プリント配線板５０と各嵌合部５３０との嵌合状態を保持する保持部５３１とを有する。なお、第２ケース５１は、ポリカーボネート樹脂などの合成樹脂材料からなる合成樹脂成形体として構成されることが好ましい。
【００４１】
嵌合部５３０は、図７に示すように、各側壁５３に設けられる一対のリブ５３００で構成される。各リブ５３００は、一対の側壁５３から、前後方向に沿って外向きに突出し、且つ上下方向に間隔を空けて対向するように形成される。そして、図９に示すように、上下方向に並ぶ２つのリブ５３００の間に第２プリント配線板５０の周縁部分が挿入される。つまり、嵌合部５３０は、上下方向に並ぶ２つのリブ５３００により、第２プリント配線板５０の周縁部分を厚み方向（上下方向）に沿って挟むように構成される。ただし、リブ５３００同士の間隔は、第２プリント配線板５０の厚みよりも大きい。
【００４２】
保持部５３１は、図７、図９及び図１０に示すように、上側のリブ５３００の後側の下面から下向きに突出するように設けられる。保持部５３１は、三角柱の前端に三角錐を繋げたような形状に形成されることが好ましい。而して、保持部５３１が設けられることにより、嵌合部５３０の後端側の隙間（一対のリブ５３００の間隔）が狭くなる。そのため、第２プリント配線板５０の後方の周縁部分が、保持部５３１と下側のリブ５３００との間に圧入され、第２プリント配線板５０が嵌合部５３０から抜け難くなる。つまり、保持部５３１は、嵌合部５３０と第２プリント配線板５０の嵌合状態を保持（維持）するように構成される。なお、保持部５３１の前端が三角錐状に形成されているため、第２プリント配線板５０の周縁部分が挿入される際、第２プリント配線板５０の後端が保持部５３１の前端に引っ掛かり難い。さらに、各リブ５３００の前端部は、図１０に示すように、前方（図１０における右方）に向かって、互いの間隔を徐々に拡げるように傾斜している。このため、第２プリント配線板５０の周縁部分がリブ５３００の前端部に案内されてリブ５３００の間の溝にスムーズに挿入される。
【００４３】
第２ケース５１には、矩形の貫通孔５５０が上壁５５と傾斜壁５６に跨がるように形成されている。この貫通孔５５０を通して、信号入力部５００の上部（差込孔５０００と解除釦５００１）が第２ケース５１の外に露出する（図６参照）。
【００４４】
また、第２ケース５１の各側壁５３の前端部分には、図７に示すように、電源ユニット４の第１ケース４２と機械的に結合する結合オス部５７がそれぞれ設けられることが好ましい。結合オス部５７は、図７に示すように、一対の支持片５７０、固定部５７１、規制片５７２を有している。固定部５７１は、左右方向から見てＴ字形状に形成され、且つ側壁５３と一体に形成される。一対の支持片５７０は、固定部５７１の上下両端から前方に突出し、前方に向かうに連れて、互いの間隔を狭くするように形成される。また、各支持片５７０の前端には、外向きに突出する三角柱形状の凸部５７００が設けられる。規制片５７２は、固定部５７１の前端から前方に突出し、一対の支持片５７０の動きを規制するように構成される。すなわち、一対の支持片５７０が互いに近付く向きに撓むとき、規制片５７２に当たることで撓み量が規制される。
【００４５】
ここで、第２ケース５１は、左右方向における２つの結合オス部５７の間隔が、第２プリント配線板５０の左右方向の幅寸法よりも小さくなるように構成されることが好ましい。第２ケース５１は、上述のように構成されることにより、左右方向における小型化が図られる。この場合、第２ケース５１は、第２プリント配線板５０の厚み方向（上下方向）において、結合オス部５７と重なる位置に、第２プリント配線板５０との間に隙間Ｘを空けるように構成されることが好ましい（図９参照）。具体的には、側壁５３における嵌合部５３０と結合オス部５７の間の部位に段差５３２が設けられることが好ましい。上述のように、第２ケース５１の側壁５３と第２プリント配線板５０との間に隙間Ｘが形成されれば、この隙間Ｘと対応する第２プリント配線板５０の周縁部分に、背の低い部品の実装や、配線用の導体の形成が可能になる。
【００４６】
一対の結合オス部５７は、電源ユニット４の第１ケース４２に設けられる一対の結合メス部４２４と機械的に結合される。一対の結合メス部４２４は、図５に示すように、第１側板４２１Ａとの間に僅かな隙間を空けて対向し、且つ矩形の孔４２４０が貫通した平板状に形成されることが好ましい。ただし、各結合メス部４２４は、第２側板４２２Ａ、４２２Ｂの端縁と連結されている。また、第１側板４２１Ａには、結合メス部４２４の孔４２４０と対向する矩形の孔４２１１が設けられる。
【００４７】
而して、各結合メス部４２４の孔４２４０にそれぞれ支持片５７０が挿入されると、孔４２４０の上下両側の縁に押されて支持片５７０が内向きに撓み、凸部５７００が孔４２４０の縁を乗り越えて結合メス部４２４に引っ掛かる。その結果、第１ケース４２の結合メス部４２４と第２ケース５１の結合オス部５７とが結合し、第１ケース４２に第２ケース５１が取り付けられる。ただし、結合オス部５７の先端部分は、孔４２１１を通して第１ケース４２内に進入する。
【００４８】
さらに、第２ケース５１は、下壁５２の前端部に引掛部５２０が設けられることが好ましい。引掛部５２０は、図７に示すように、左右方向から見てＪ字形状に形成される。引掛部５２０は、図４に示すように、第１ケース４２の第１側板４２１Ａの先端に引っ掛けられる。
【００４９】
また、第２ケース５１は、下壁５２の前端部にケーブル保持部５２１が設けられることが好ましい。ケーブル保持部５２１は、図９に示すように、下壁５２の下面から下向きに突出する柱部５２１０と、柱部５２１０の先端（下端）から下壁５２の下面とほぼ平行に突出する梁部５２１１とを有し、前後方向から見てＬ字形に形成される。また、梁部５２１１の先端には、下壁５２に向かって突出する三角柱状の突起（barb）５２１２が設けられる。すなわち、ケーブル保持部５２１は、図４に示すように、下壁５２と梁部５２１１との間の空間に出力線４３が挿通され、突起５２１２によって前記空間から出力線４３が抜け出ないように保持する。
【００５０】
さらに、第２ケース５１は、下壁５２の後端部から下向きに突出する突部５２２が設けられる。なお、突部５２２の先端（下端）部分は、半球状に形成されることが好ましい。
【００５１】
次に、電源装置の組立手順を説明する。本実施形態の電源装置は、電源ユニット４と機能モジュール５とで構成される。
【００５２】
まず、作業者は、電源ユニット４の出力コネクタ４０５に、出力線４３の一端を電気的に接続した後、第１側板４２１Ａに設けられている保持溝４２１２に出力線４３を挿通して保持させる（図５及び図１１参照）。さらに、作業者は、出力線４３を機能モジュール５の第２ケース５１のケーブル保持部５２１に保持させる。続いて、作業者は、電源ユニット４の制御用コネクタ４１０に、機能モジュール５のプラグコネクタ５０４を差込接続する。さらに、作業者は、引掛部５２０を第１ケース４２の第１側板４２１Ａの先端に引っ掛けた後、結合オス部５７の支持片５７０を結合メス部４２４の孔４２４０に挿入して、各結合オス部５７を結合メス部４２４と結合する。以上の手順で電源ユニット４に機能モジュール５が取り付けられて電源装置の組立が完了する。
【００５３】
ここで、機能モジュール５の第２ケース５１と隣り合う方の第１側板４２１Ａは、図５に示すように、第２ケース５１と隣り合わない方の第１側板４２１Ｂや第２側板４２２Ａ、４２２Ｂよりも低く形成される。すなわち、第１側板４２１Ａの一部４２１３が折り返し曲げ加工によってヘミング曲げ形状に形成されることで高さが低くなっている。ただし、第２ケース５１の引掛部５２０が引っ掛かる第１側板４２１Ａの端部４２１４は、他の第１側板４２１Ｂや第２側板４２２Ａ、４２２Ｂとほぼ同じ高さに形成されることが好ましい（図５及び図１１参照）。
【００５４】
而して、電源ユニット４に機能モジュール５が取り付けられた状態において、第１ケース４２の第１側板４２１Ａと、第２ケース５１の下壁５２との間に隙間が生じる。そして、機能モジュール５の信号ケーブル５０３は、前記隙間から第１側板４２１Ａを乗り越えて、電源ユニット４の制御用コネクタ４１０と電気的且つ機械的に接続される。
【００５５】
ここで、信号ケーブル５０３の長さ寸法は、電源ユニット４に機能モジュール５が取り付けられた状態において、制御用コネクタ４１０や信号出力部５０２に不要な張力が掛からない範囲で可能な限り短い方が好ましい。したがって、信号ケーブル５０３が、出力線４３と同様に、第１側板４２１Ａを貫通する孔に挿通されれば、長さ寸法を短くすることができる。しかしながら、前記孔に挿通された後では、信号ケーブル５０３の移動範囲が前記孔で規制されるため、信号ケーブル５０３と制御用コネクタ４１０との接続作業が非常に難しくなってしまう。
【００５６】
これに対して本実施形態の電源装置は、相対的に低く形成されている第１側板４２１Ａを乗り越えて、信号ケーブル５０３が電源ユニット４の制御用コネクタ４１０に接続されるように構成される。そのため、信号ケーブル５０３の移動範囲が規制され難いので、信号ケーブル５０３が短くても、信号ケーブル５０３と制御用コネクタ４１０との接続作業が行い易い。つまり、本実施形態の電源装置は、電源ユニット４と機能モジュール５との組立作業性の低下を抑制しつつ、出力コネクタ４０５や制御用コネクタ４１０などの回路部品を露出させないことが可能となる。
【００５７】
次に、光源ユニット２の組立手順を説明する。作業者は、上述の手順で組み立てた電源装置を取付部材２１の上面側に取り付け、さらに、ＬＥＤモジュール２２を取付部材２１の底板２１１の下面に固定する（図１２参照）。このとき、第２ケース５１の下壁５２に設けられる突部５２２の先端が取付部材２１の底板２１１に当たるため、第２ケース５１の下壁５２と底板２１１との間に隙間が形成される。そして、この隙間に出力線４３が配線される。続いて、作業者は、電源ユニット４の出力線４３を取付部材２１の底板２１１に設けられた孔に挿通し、出力線４３の先端に設けられているプラグコネクタを、ＬＥＤモジュール２２の端部に設けられているコネクタ（レセプタクルコネクタ）に差込接続する。
【００５８】
そして最後に、作業者は、開口側を上向きにした状態でカバー２３を取付部材２１に組み付ける。このとき、カバー２３の各突壁部２３３にそれぞれ設けた突起部２３３Ａが、取付部材２１の各側板２１２の傾斜部２１２Ａに引っ掛かり、カバー２３が取付部材２１に取り付けられる。以上のような手順で光源ユニット２が組み立てられる。
【００５９】
次に、本実施形態の照明器具Ａの施工手順を説明する。まず、施工者は、天井裏に先行配線された電源線３０と信号線を器具本体１の孔１１１Ａに挿通し、さらに室内側に露出する吊りボルト２００を孔１１１Ｂに通した後、吊りボルト２００にナット３００をねじ込んで器具本体１を固定する。その後、施工者は、電源線３０を端子台２５に接続し、さらに端子台２５のプラグコネクタ２５１を電源ユニット４の入力コネクタ４００に差込接続する。続いて、施工者は、信号線を機能モジュール５の信号入力部５００に接続する。
【００６０】
そして最後に、施工者は、器具本体１の一方の側板１１２に設けられた一対の挿通孔１１２Ａにそれぞれ引掛金具２１４の先端を引っ掛けた後、一対の引掛ばね２１５を器具本体１の他方の側板１１２に設けられた引掛部１１２０に引っ掛ける。そして、施工者が、引掛金具２１４を支点として光源ユニット２を持ち上げるように回転させると、引掛ばね２１５が引掛部１１２０に引っ掛かったままで元の状態に戻ることにより、引掛ばね２１５のばね力で光源ユニット２が器具本体１に保持される。以上のような手順で照明器具Ａが天井に施工される。
【００６１】
上述のように本実施形態の電源装置は、外部電源（交流電源３）から供給される電力を負荷（ＬＥＤモジュール２２）に適した電力に変換する電源ユニット４を有する。また、電源装置は、電源ユニット４と電気的に接続され、電源ユニット４に新たな機能を追加する機能モジュール５と、電源ユニット４と機能モジュール５を電気的に接続する電気ケーブル（信号ケーブル５０３）とを有する。電源ユニット４は、第１プリント配線板４０に電子部品が実装されて構成される電源回路と、前記電源回路を収納する第１ケース４２とを有する。機能モジュール５は、前記機能を実現するための電子部品が第２プリント配線板５０に実装されて構成される回路部と、前記回路部を収納して第１ケース４２に隣り合うように配置される第２ケース５１とを有する。第１ケース４２は複数の側壁（第１側板４２１Ａ、４２１Ｂ、第２側板４２２Ａ、４２２Ｂ）を有する箱状に形成される。また、第１ケース４２は、前記複数の側壁のうちで第２ケース５１と隣り合う前記側壁（第１側板４２１Ａ）が、第２ケース５１と隣り合わない他の前記側壁よりも低く形成される。電気ケーブル（信号ケーブル５０３）は、他の前記側壁よりも低く形成された前記側壁（第１側板４２１Ａ）を乗り越えて、前記電源回路と前記回路部を電気的に接続するように構成される。
【００６２】
本実施形態の電源装置は上述のように構成され、電気ケーブル（信号ケーブル５０３）を用いて前記電源回路と前記回路部を電気的に接続する作業が容易に行えるので、組立作業性の低下を抑制しつつ回路部品が露出しないようにすることができる。
【００６３】
また、本実施形態の電源装置において、第２ケース５１は、第１ケース４２の前記側壁（第１側板４２１Ａ）と対向する面が開放されるように構成されることが好ましい。
【００６４】
さらに、本実施形態の電源装置において、電気ケーブル（信号ケーブル５０３）は、一端に第１プラグコネクタ５０４が電気的に接続され、且つ他端に第２プラグコネクタ（信号出力部５０２）が電気的に接続されることが好ましい。第１プラグコネクタ５０４と電気的に接続される第１レセプタクルコネクタ（制御用コネクタ４１０）が第１プリント配線板４０に実装されることが好ましい。また、第２プラグコネクタと電気的に接続される第２レセプタクルコネクタ（信号出力部５０２）が第２プリント配線板５０に実装されることが好ましい。第１レセプタクルコネクタ（制御用コネクタ４１０）と第２レセプタクルコネクタ（信号出力部５０２）とは、第１ケース４２と第２ケース５１が隣り合う方向において、互いに対向しない位置に実装されることが好ましい。例えば、図１１に示すように、制御用コネクタ４１０が、第１プリント配線板４０の短手方向における一端側に片寄せて配置され、信号出力部５０２が、第２プリント配線板５０の前記短手方向における他端側に片寄せて配置されることが好ましい。
【００６５】
本実施形態の電源装置が上述のように構成されれば、制御用コネクタ４１０と信号出力部５０２が、第１ケース４２と第２ケース５１が隣り合う方向において、互いに対向しない位置に実装される場合と比較して、組立作業性の向上が図られる。すなわち、制御用コネクタ４１０と信号出力部５０２の距離が相対的に長くなり、信号ケーブル５０３の全長も長くできる。そのため、プラグコネクタ５０４が制御用コネクタ４１０に接続される際、信号ケーブル５０３が撓ませ易くなり、プラグコネクタ５０４を制御用コネクタ４１０に接続する作業が行い易い。
【００６６】
さらに、本実施形態の電源装置において、第１レセプタクルコネクタ（制御用コネクタ４１０）及び第２レセプタクルコネクタ（信号出力部５０２）の少なくとも何れか一方は、所定の部分から離れた位置に実装されることが好ましい。ただし、所定の部分とは、第１プリント配線板４０における第２プリント配線板５０と接近している部分（第２端部）、並びに、第２プリント配線板５０における第１プリント配線板４０と接近している部分である。例えば、図１１に示すように、信号出力部５０２が、第２プリント配線板５０の後端部、すなわち、第１プリント配線板４０から離れた位置に実装されることが好ましい。
【００６７】
本実施形態の電源装置が上述のように構成されれば、制御用コネクタ４１０と信号出力部５０２の距離がさらに長くなるので、プラグコネクタ５０４を制御用コネクタ４１０に接続する作業がより行い易くなる。
【００６８】
ここで、図１１に示すように、ケーブル保持部５２１が信号出力部５０２の近くに配置されているので、ケーブル保持部５２１に保持される出力線４３により、信号ケーブル５０３の移動が規制される。その結果、第２ケース５１が第１ケース４２に取り付けられる際、誤って信号ケーブル５０３が第２ケース５１と第１ケース４２の間に挟み込まれ難くなる。
【００６９】
また、本実施形態の電源装置において、第１プリント配線板４０及び第２プリント配線板５０は、それぞれの表面が、互いに反対側となるように、第１ケース４２及び第２ケース５１内に収納されることが好ましい。ただし、第１プリント配線板４０の表面とは、第１レセプタクルコネクタ（制御用コネクタ４１０）が実装される実装面である。また、第２プリント配線板５０の表面とは、第２レセプタクルコネクタ（信号出力部５０２）が実装される実装面である。そして、第２プリント配線板５０は、第１ケース４２の前記側壁（第１側板４２１Ａ）と対向する端面から、第１ケース４２に向かって突出する１乃至２つ以上の突部５０５を有することが好ましい。例えば、図１１に示すように、第１プリント配線板４０は、表面を手前側に向けるようにして第１ケース４２内に収納され、第２プリント配線板５０は、表面を奥側に向けるようにして第２ケース５１内に収納されることが好ましい。
【００７０】
本実施形態の電源装置が上述のように構成されれば、信号出力部５０２が信号入力部５００とともに第２プリント配線板５０の表面に実装されることで第２ケース５１の小型化が図られる。しかも、突部５０５によって、第２プリント配線板５０と第１側板４２１Ａとの間に、信号ケーブル５０３が通線可能な隙間が確保されるので、プラグコネクタ５０４を制御用コネクタ４１０に接続する作業の作業性が低下しない。
【００７１】
ところで、本実施形態の電源装置において、第２ケース５１は、第１ケース４２の前記側壁（第１側板４２１Ａ）と対向する面（前面）に壁が設けられても構わない。また、前記電気ケーブル（信号ケーブル５０３）は、前記壁（第１側板４２１Ａ）を乗り越えて、前記電源回路と前記回路部を電気的に接続するように構成されても構わない。例えば、第２ケース５１は、下壁５２が無くなり、且つ前面に壁が設けられることにより、下面が開放された箱状に形成されても良い。
【００７２】
なお、本実施形態の照明器具Ａは、光源（ＬＥＤモジュール２２）と電源装置を備える光源ユニット２と器具本体１とで構成されているが、例えば、電源装置が器具本体１に取り付けられても構わない。
【００７３】
また、機能モジュール５は、本実施形態で例示した機能以外の機能、例えば、初期照度補正機能を電源装置（電源ユニット４）に追加するように構成されても構わない。初期照度補正機能とは、光源（ＬＥＤモジュール２２）の使用開始から寿命末期までの間、光出力がほぼ一定（例えば、定格の８５％）に保たれるように、累積点灯時間に対応して調光レベルを調整する機能である。
【符号の説明】
【００７４】
１  器具本体
２  光源ユニット
３  交流電源（外部電源）
４  電源ユニット
５  機能モジュール
２２  ＬＥＤモジュール（負荷、光源）
４０  第１プリント配線板
４２  第１ケース
５０  第２プリント配線板
５１  第２ケース
４１０  制御用コネクタ（第１レセプタクルコネクタ）
４２１Ａ、４２１Ｂ  第１側板（側壁）
４２２Ａ、４２２Ｂ  第２側板（側壁）
５０２  信号出力部（第２プラグコネクタ、第２レセプタクルコネクタ）
５０３  信号ケーブル（電気ケーブル）
５０４  第１プラグコネクタ
５０５  突部
【図１】
0006391003.tif 000002
【図２】
0006391003.tif 000003
【図３】
0006391003.tif 000004
【図４】
0006391003.tif 000005
【図５】
0006391003.tif 000006
【図６】
0006391003.tif 000007
【図７】
0006391003.tif 000008
【図８】
0006391003.tif 000009
【図９】
0006391003.tif 000010
【図１０】
0006391003.tif 000011
【図１１】
0006391003.tif 000012
【図１２】
0006391003.tif 000013